(57)【要約】【課題】  背面に配置された主回路部の目視点検を容易に行うことができる金属閉鎖形スイッチギヤを提供する。【解決手段】  箱体１と、箱体１の背面に設けられた背面扉３と、背面扉３の内側に設けられた金属製の第１の保護板４ａ、４ｂと、第１の保護板４ａ、４ｂに設けられた千鳥状配置の複数の第１の貫通孔７ａ、７ｂと、第１の保護板４ａ、４ｂに移動自在に重ねられた金属製の第２の保護板６ａ、６ｂと、第２の保護板６ａ、６ｂに設けられた第１の貫通孔７ａ、７ｂと同様配置の複数の第２の貫通孔８ａ、８ｂとを備え、通常時には、第１の貫通孔７ａ、７ｂと第２の貫通孔８ａ、８ｂとを閉じておき、点検時には、第２の保護板６ａ、６ｂを移動させ、第１の貫通孔７ａ、７ｂと第２の貫通孔８ａ、８ｂとを一致させることを特徴とする。【選択図】  図１
2016001946.tif 000002
【特許請求の範囲】
【請求項１】
箱体と、
前記箱体の背面に設けられた背面扉と、
前記背面扉の内側に設けられた金属製の第１の保護板と、
前記第１の保護板に設けられるとともに、千鳥状に配置された複数の第１の貫通孔と、
前記第１の保護板に移動自在に重ねられた金属製の第２の保護板と、
前記第２の保護板に設けられるとともに、前記第１の貫通孔と同様の千鳥状に配置された複数の第２の貫通孔とを備え、
通常時には、前記第１の貫通孔と前記第２の貫通孔とを閉じておき、
点検時には、前記第２の保護板を移動させ、前記第１の貫通孔と前記第２の貫通孔とを一致させることを特徴とする金属閉鎖形スイッチギヤ。
【請求項２】
前記第１の保護板に横配置のガイドレールを設け、前記第２の保護板を左右方向に移動させることを特徴とする請求項１に記載の金属閉鎖形スイッチギヤ。
【請求項３】
前記第１の保護板に縦配置のガイドレールを設け、前記第２の保護板を上下方向に移動させることを特徴とする請求項１に記載の金属閉鎖形スイッチギヤ。
【請求項４】
前記第１の保護板に円弧状のガイドレールを設け、前記第２の保護板を回動させることを特徴とする請求項１に記載の金属閉鎖形スイッチギヤ。
【請求項５】
箱体と、
前記箱体の背面に設けられた金属製の引掛け保護板と、
前記引掛け保護板に設けられるとともに、千鳥状に配置された複数の第１の貫通孔と、
前記引掛け保護板に移動自在に重ねられた金属製の第２の保護板と、
前記第２の保護板に設けられるとともに、前記第１の貫通孔と同様の千鳥状に配置された複数の第２の貫通孔とを備え、
通常時には、前記第１の貫通孔と前記第２の貫通孔とを閉じておき、
点検時には、前記第２の保護板を移動させ、前記第１の貫通孔と前記第２の貫通孔とを一致させることを特徴とする金属閉鎖形スイッチギヤ。
【発明の詳細な説明】
【技術分野】
【０００１】
本発明の実施形態は、目視による点検保守を容易にし得る金属閉鎖形スイッチギヤに関する。
【背景技術】
【０００２】
従来、金属閉鎖形スイッチギヤには、箱体の前後方向に正面扉と背面扉が設けられており、それぞれの扉を開放して、正面側では計測器、保護リレーなどの制御回路部、背面側では母線、電力ケーブルなどの主回路部の保守点検が行われるようになっている（例えば、特許文献１参照）。
【０００３】
しかしながら、背面側では、背面扉を開放しても主回路部に直接、触れられないように、扉内部に更に保護板を設けたものがある。これは、基本的に停電した状態で保守点検を行うことを原則としたものであり、停電後、保護板の取外しが行われる。なお、正面側では、停電をしなくても保守点検が可能となっている（例えば、特許文献２参照）。
【０００４】
ここで、日常点検の際、主回路部への異物付着や変色などの目視点検を希望するユーザが多く、その度、停電させることは実用的ではなく、そのような場合には保護板を透明な絶縁樹脂製にすることがある。しかしながら、保護板は、接地電位の固定や溶損防止などの観点から金属製が好ましい。これらのことから、金属製の保護板を用いても主回路部の目視点検を容易に行えるものが望まれていた。
【先行技術文献】
【特許文献】
【０００５】
【特許文献１】特開２００８−２８３７３４号公報
【特許文献２】特開平６−２５３４１６号公報
【発明の概要】
【発明が解決しようとする課題】
【０００６】
本発明が解決しようとする課題は、背面側の保護板に金属製を用いても、主回路部の目視点検を容易に行うことができる金属閉鎖形スイッチギヤを提供することにある。
【課題を解決するための手段】
【０００７】
上記課題を解決するために、実施形態の金属閉鎖形スイッチギヤは、箱体と、前記箱体の背面に設けられた背面扉と、前記背面扉の内側に設けられた金属製の第１の保護板と、前記第１の保護板に設けられるとともに、千鳥状に配置された複数の第１の貫通孔と、前記第１の保護板に移動自在に重ねられた金属製の第２の保護板と、前記第２の保護板に設けられるとともに、前記第１の貫通孔と同様の千鳥状に配置された複数の第２の貫通孔とを備え、通常時には、前記第１の貫通孔と前記第２の貫通孔とを閉じておき、点検時には、前記第２の保護板を移動させ、前記第１の貫通孔と前記第２の貫通孔とを一致させることを特徴とする。
【図面の簡単な説明】
【０００８】
【図１】本発明の実施例１に係る金属閉鎖形スイッチギヤの構成を示す斜視図。
【図２】本発明の実施例１に係る金属閉鎖形スイッチギヤの保護板の移動を説明する図。
【図３】本発明の実施例２に係る金属閉鎖形スイッチギヤの保護板を示す斜視図。
【図４】本発明の実施例３に係る金属閉鎖形スイッチギヤの保護板を示す斜視図。
【図５】本発明の実施例４に係る金属閉鎖形スイッチギヤの構成を示す斜視図。
【発明を実施するための形態】
【０００９】
以下、図面を参照して本発明の実施例を説明する。
【実施例１】
【００１０】
先ず、本発明の実施例１に係る金属閉鎖形スイッチギヤを図１、図２を参照して説明する。図１は、本発明の実施例１に係る金属閉鎖形スイッチギヤの構成を示す斜視図、図２は、本発明の実施例１に係る金属閉鎖形スイッチギヤの保護板の移動を説明する図である。
【００１１】
図１に示すように、箱体１には、正面側に開閉自在の正面扉２、背面側にも開閉自在の背面扉３が設けられている。箱体１は、二段積みとなっている。背面扉３の内側には、上下段にそれぞれ金属製で板状の第１の保護板４ａ、４ｂが図示しないボルトで箱体１に固定されている。第１の保護板４ａ、４ｂの上部と下部には、断面コ字状で内側が向かい合った一対のガイドレール５ａ、５ｂが横配置され固定されている。ガイドレール５ａ、５ｂには、金属製で板状の第２の保護板６ａ、６ｂが移動自在に設けられている。
【００１２】
第１の保護板４ａ、４ｂには、複数の矩形状の第１の貫通孔７ａ、７ｂ（点線で表示）が複数の列を作って千鳥状に配置されている。第２の保護板６ａ、６ｂにも、複数の矩形状の第２の貫通孔８ａ、８ｂ（実線で表示）が複数の列を作って千鳥状に配置されている。第１の貫通孔７ａ、７ｂと第２の貫通孔８ａ、８ｂは、同様の形状で同様の配置である。
【００１３】
第２の保護板６ａ、６ｂの左端には、この第２の保護板６ａ、６ｂを左方向に引っ張るように付勢されたばね９ａ、９ｂと、ガイドレール５ａ、５ｂに沿って移動させるためのつまみ１０ａ、１０ｂが設けられている。第１の保護板４ａ、４ｂには、両端に持ち運ぶための把手１１ａ、１１ｂが設けられている。第２の保護板６ａ、６ｂを右方向に移動させて停止する二点鎖線で示す停止位置には、リミットスイッチ１２ａ、１２ｂが設けられている。リミットスイッチ１２ａ、１２ｂには、第２の保護板６ａ、６ｂを移動させたことを表示する表示器、警報器などが接続される。
【００１４】
なお、箱体１には、正面側に計測器、保護リレーなどの制御回路部が収納され、背面側で第１の保護板４ａ、４ｂと第２の保護板６ａ、６ｂの内側に母線、電力ケーブルなどの主回路部が収納されている。
【００１５】
次に、第１の貫通孔７ａ、７ｂと第２の貫通孔８ａ、８ｂの位置関係を図２を参照して説明する。なお、二段積みの上段と下段は、同様の構成であるので、上段を用いて説明する。
【００１６】
図２（ａ）は、運転状態の通常時であり、第１の保護板４ａの第１の貫通孔７ａと、第２の保護板６ａの第２の貫通孔８ａが、図示のように、千鳥配置において１／２ピッチずれており、互いの貫通孔７ａ、８ａは閉じられている。第１の貫通孔７ａは第２の保護板６ａの第２の貫通孔８ａがない部分、第２の貫通孔８ａは第１の保護板６ａの第１の貫通孔７ａがない部分で閉じられ、内部を目視することができない。この状態は、ばね９ａによって常時保たれる。１ピッチとは、直線上に並んだ貫通孔７ａ（８ａ）の間隔を示している。
【００１７】
目視点検をする場合には、図２（ｂ）に示すように、つまみ１０ａを操作し、ガイドレール５ａに沿って第２の保護板６ａを右方向に１／２ピッチ移動させる。すると、第１の貫通孔７ａと第２の貫通孔８ａの位置が一致し、開口した第１、第２の貫通孔７ａ、８ａから内部を目視することができる。開口エリアが斑模様で目視が制限されるものの、主回路部への異物付着や変色程度の確認をすることができる。これは、運転状態においても実施することができ、リミットスイッチ１２ａによって運転中の表示や警報を出すことができる。当然のことながら、停電状態においても、第２の保護板６ａを移動させることができる。
【００１８】
ここで、第１、第２の貫通孔７ａ、８ａの大きさは、例えば、ＪＥＭ−１４２５の規格に準じるものが好ましい。保護等級をＩＰ２に準じるものにすると、矩形状の長辺方向の長さを１２．５ｍｍ以下とする。なお、第１、第２の貫通孔７ａ、８ａは、矩形状に限らず、円形状、楕円形状、多角形状などにすることができる。保護等級は、ＩＰ１〜ＩＰ４までに対応することができるが、目視点検を考慮すると、ＩＰ２が好ましい。
【００１９】
これにより、運転中であっても、第２の保護板６ａを移動させ、第１の貫通孔７ａと第２の貫通孔８ａの位置を一致させることにより、内部を目視点検することができるようになる。また、第１の保護板４ａと第２の保護板６ａは、金属製のため、接地電位に固定することができ、また、放電時などの溶損防止を図ることができる。
【００２０】
上記実施例１の金属閉鎖形スイッチギヤによれば、主回路部を保護する金属製の第１の保護板４ａに千鳥状に配置した複数の第１の貫通孔７ａを設け、これに第１の貫通孔７ａと同様の形状の第２の貫通孔８ａを設けた金属製の第２の保護板６ａを重ねて配置し、常時は互いの貫通孔７ａ、８ａを閉じておき、点検時は第２の保護板６ａを１／２ピッチ水平移動させて互いの貫通孔７ａ、８ａが一致するようにしているので、第１の保護板４ａを取外さなくても箱体１内部を目視点検することができる。これは、運転状態でも実施することができ、日常点検を容易、且つ精度よく確実に行うことができる。
【００２１】
上記実施例１では、箱体１を二段積みで説明したが、二段以上の多段積み、および単盤に用いることができる。
【実施例２】
【００２２】
次に、本発明の実施例２に係る金属閉鎖形スイッチギヤを図３を参照して説明する。図３は、本発明の実施例２に係る金属閉鎖形スイッチギヤの保護板を示す斜視図である。なお、この実施例２が実施例１と異なる点は、第２の保護板の移動を上下方向としたことである。図３において、実施例１と同様の構成部分においては、同一符号を付し、その詳細な説明を省略する。また、保護板は、上段を用いて説明する。
【００２３】
図３に示すように、第１の保護板４ａには、一対のガイドレール５ａが縦配置され固定されている。第２の保護板６ａには、つまみ１０ａを上部に設けている。第２の保護板６ａを下げているときには、第１の貫通孔７ａと第２の貫通孔８ａの両方が閉じられ、第２の保護板６ａを持ち上げたときに、第１の貫通孔７ａと第２の貫通孔８ａが一致するようになっている。このため、実施例１のばね９ａは不要となる。
【００２４】
上記実施例２の金属閉鎖形スイッチギヤによれば、実施例１と同様の効果を得ることができる。
【実施例３】
【００２５】
次に、本発明の実施例３に係る金属閉鎖形スイッチギヤを図４を参照して説明する。図４は、本発明の実施例３に係る金属閉鎖形スイッチギヤの保護板を示す斜視図である。なお、この実施例３が実施例１と異なる点は、保護板の移動を回転方向としたことである。図４において、実施例１と同様の構成部分においては、同一符号を付し、その詳細な説明を省略する。また、保護板は、上段を用いて説明する。
【００２６】
図４に示すように、第１の保護板４ａには、上部に円弧状のガイドレール１３ａを設け、下部に回転自在の固定ピン１４ａが設けられている。第１の貫通孔７ａは、固定ピン１４ａを中心とし、放射状に配置されている。第２の保護板６ａは、扇状に形成され、下部に固定ピン１４ａが貫通する貫通孔１５ａが設けられている。第２の貫通孔８ａは、第１の貫通孔７ａと同様に、放射状に配置されている。そして、第２の保護板６ａを固定ピン１４ａを中心として回動させるものである。
【００２７】
上記実施例３の金属閉鎖形スイッチギヤによれば、実施例１と同様の効果を得ることができる。
【実施例４】
【００２８】
次に、本発明の実施例４に係る金属閉鎖形スイッチギヤを図５を参照して説明する。図５は、本発明の実施例４に係る金属閉鎖形スイッチギヤの構成を示す斜視図である。なお、この実施例４が実施例１と異なる点は、背面が引掛け保護板の場合である。図５において、実施例１と同様の構成部分においては、同一符号を付し、その詳細な説明を省略する。
【００２９】
図５に示すように、箱体１の背面には、実施例１のような背面扉がなく、引掛け保護板１６ａ、１６ｂがボルト１７ａ、１７ｂで固定されている。引掛け保護板１６ａ、１６ｂには、一対のガイドレール５ａ、５ｂが固定され、第２の保護板６ａ、６ｂが移動自在に移動できるようになっている。なお、引掛け保護板１６ａ、１６ｂを取外すと、主回路部を直接、目視することができるようになっている。
【００３０】
上記実施例５の金属閉鎖形スイッチギヤによれば、背面に引掛け保護板１６ａ、１６ｂを設けたものにおいても、実施例１と同様の効果を得ることができる。
【００３１】
以上述べたような実施形態によれば、千鳥状に配置した複数の第１の貫通孔を設けた第１の保護板に、これと同様の千鳥状に配置した複数の第２の貫通孔を設けた第２の保護板を移動自在に重ねて配置し、通常時は第１の貫通孔と第２の貫通孔を塞いでおき、点検時には第２の保護板を移動させて第１の貫通孔と第２の貫通孔を一致させるようにしているので、目視点検を容易とすることができる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１  箱体
２  正面扉
３  背面扉
４ａ、４ｂ  第１の保護板
６ａ、６ｂ  第２の保護板
７ａ、７ｂ  第１の貫通孔
８ａ、８ｂ  第２の貫通孔
１６ａ、１６ｂ  第１の引掛け保護板
【図１】
2016001946.tif 000003
【図２】
2016001946.tif 000004
【図３】
2016001946.tif 000005
【図４】
2016001946.tif 000006
【図５】
2016001946.tif 000007